(57)【要約】【課題】照明装置のグループ操作及び個別操作の両方を効率良く行うこと。【解決手段】実施形態に係る操作装置は、表示部と、切替部と、操作部と、を具備する。表示部は、複数のグループに分けられ、固有のアドレスが設定された照明装置のそれぞれを表すアイコンを、表示する個別アイコン表示画面と、複数のグループのそれぞれを表すアイコンを、表示するグループアイコン表示画面と、を表示する。切替部は、ユーザの操作に応じて、個別アイコン表示画面とグループアイコン表示画面を切り替える。操作部は、選択されたアイコンに対応する照明装置を特定し、当該照明装置に対して所定の操作を行う。【選択図】図３
2018055839.tif 000002
【特許請求の範囲】
【請求項１】
複数のグループに分けられ、固有のアドレスが設定された照明装置のそれぞれを表すアイコンを、前記照明装置の設置位置に基づく所定の配置で表示する個別アイコン表示画面と、前記複数のグループのそれぞれを表すアイコンを、前記個別アイコン表示画面における配置に対応させて表示するグループアイコン表示画面と、のいずれかを少なくとも表示する表示部と；
ユーザの操作に応じて、前記表示部によって表示される画面を、前記個別アイコン表示画面と前記グループアイコン表示画面との間で切り替える切替部と；
前記個別アイコン表示画面に表示されているアイコンがユーザによって選択された場合、当該アイコンに対応する照明装置を前記固有のアドレスに基づいて特定し、当該特定した照明装置に対して所定の操作を行い、前記グループアイコン表示画面に表示されているアイコンがユーザによって選択された場合、当該アイコンに対応するグループに含まれる照明装置を特定し、当該特定した照明装置に対して所定の操作を行う操作部と；
を具備することを特徴とする操作装置。
【請求項２】
前記表示部は、
前記グループの一覧及び前記照明装置の一覧を表示する設定画面をさらに表示し、
前記操作装置は、前記設定画面に表示された前記照明装置の一覧のうちのユーザによって選択された照明装置を、前記グループの一覧のうちのユーザによって選択されたグループに含める設定部；
をさらに具備することを特徴とする請求項１に記載の操作装置。
【請求項３】
前記複数のグループを表すアイコンは、グループに設定する照明装置に応じて変更することを特徴とする請求項１または２に記載の操作装置。
【請求項４】
複数のグループに分けられ、固有のアドレスが設定された照明装置と、前記固有のアドレスを読み取る読取装置と、前記照明装置の操作を行う操作装置と、を有する照明制御システムであって、
前記照明装置は、
前記固有のアドレスを表示するアドレス表示部；
を具備し、
前記読取装置は、
前記照明装置の前記アドレス表示部に表示された前記固有のアドレスを読み取る読取部；
を具備し、
前記操作装置は、
前記読取装置の前記読取部によって前記固有のアドレスが読み取られた前記照明装置の設置位置の入力を受け付け、当該設置位置を基に前記照明装置の配置を決定する配置部と；
前記照明装置のそれぞれを表すアイコンを、前記配置部によって決定された配置で表示する個別アイコン表示画面と、前記複数のグループのそれぞれを表すアイコンを、前記個別アイコン表示画面における配置に対応させて表示するグループアイコン表示画面と、のいずれかを少なくとも表示する表示部と；
ユーザの操作に応じて、前記表示部によって表示される画面を、前記個別アイコン表示画面と前記グループアイコン表示画面との間で切り替える切替部と；
前記個別アイコン表示画面に表示されているアイコンがユーザによって選択された場合、当該アイコンに対応する照明装置を前記固有のアドレスに基づいて特定し、当該特定した照明装置に対して所定の操作を行い、前記グループアイコン表示画面に表示されているアイコンがユーザによって選択された場合、当該アイコンに対応するグループに含まれる照明装置を特定し、当該特定した照明装置に対して所定の操作を行う操作部と；
を具備することを特徴とする照明制御システム。
【発明の詳細な説明】
【技術分野】
【０００１】
本発明の実施形態は、操作装置及び照明制御システムに関する。
【背景技術】
【０００２】
従来、照明装置が多く設置されている施設では、施工性や利便性、省電力化を向上するために照明制御システムが導入される場合がある。照明制御システムは、照明装置を複数同時操作する機能（グループ操作）や、１日のスケジュールに合わせて照明装置の点灯又は消灯を行う機能（スケジュール操作）がある。
【０００３】
照明制御システムによるグループ操作やスケジュール操作を行う場合、照明制御システムの導入前に、照明装置の固有アドレスの収集をし、グループ設定やスケジュール設定等の初期設定を行っておく必要がある。例えば、照明制御システムの初期設定の方法として、収集した照明装置のアドレスを、あらかじめグループ単位で割り付けておく方法が知られている。
【先行技術文献】
【特許文献】
【０００４】
【特許文献１】２０１３−２０１０８７号公報
【特許文献２】２０１５−２６６１５号公報
【発明の概要】
【発明が解決しようとする課題】
【０００５】
しかしながら、従来の技術には、照明装置のグループ操作及び個別操作の両方を効率良く行うことができない場合があるという問題があった。例えば、従来の照明制御システムの操作装置に、グループ操作用の画面を表示させている際に、あるグループに割り付けられた照明装置の操作を個別に行いたい場合であっても、表示中の画面には個別操作の機能が備わっていないため、効率良く個別操作を行うことができない場合があった。
【０００６】
本発明が解決しようとする課題は、照明装置のグループ操作及び個別操作の両方を効率良く行うことができる操作装置及び照明制御システムを提供することである。
【課題を解決するための手段】
【０００７】
実施形態に係る操作装置は、複数のグループに分けられ、固有のアドレスが設定された照明装置のそれぞれを表すアイコンを、前記照明装置の設置位置に基づく所定の配置で表示する個別アイコン表示画面と、前記複数のグループのそれぞれを表すアイコンを、前記個別アイコン表示画面における配置に対応させて表示するグループアイコン表示画面と、のいずれかを少なくとも表示する表示部と、ユーザの操作に応じて、前記表示部によって表示される画面を、前記個別アイコン表示画面と前記グループアイコン表示画面との間で切り替える切替部と、前記個別アイコン表示画面に表示されているアイコンがユーザによって選択された場合、当該アイコンに対応する照明装置を前記固有のアドレスに基づいて特定し、当該特定した照明装置に対して所定の操作を行い、前記グループアイコン表示画面に表示されているアイコンがユーザによって選択された場合、当該アイコンに対応するグループに含まれる照明装置を特定し、当該特定した照明装置に対して所定の操作を行う操作部と、を具備する。
【図面の簡単な説明】
【０００８】
【図１】図１は、実施形態に係る照明制御システムの構成例を示す図である。
【図２】図２は、実施形態に係る読取装置による読み取り方法の一例を示す図である。
【図３】図３は、実施形態に係る操作装置の構成例を示す図である。
【図４】図４は、実施形態に係るエリア設定画面の一例を示す図である。
【図５】図５は、実施形態に係るエリア設定画面の一例を示す図である。
【図６】図６は、実施形態に係るエリア操作画面の一例を示す図である。
【図７】図７は、実施形態に係るエリア操作画面の一例を示す図である。
【図８】図８は、実施形態に係る操作装置の処理の手順を示すフローチャートである。
【発明を実施するための形態】
【０００９】
以下で説明する実施形態に係る操作装置１０は、表示部１１と、切替部１２３と、操作部１２４と、を具備する。表示部１１は、複数のグループに分けられ、固有のアドレスが設定された照明装置３０のそれぞれを表すアイコンを、照明装置３０の設置位置に基づく所定の配置で表示する個別アイコン表示画面と、複数のグループのそれぞれを表すアイコンを、個別アイコン表示画面における配置に対応させて表示するグループアイコン表示画面と、のいずれかを少なくとも表示する。切替部１２３は、ユーザの操作に応じて、表示部１１によって表示される画面を、個別アイコン表示画面とグループアイコン表示画面との間で切り替える。操作部１２４は、個別アイコン表示画面に表示されているアイコンがユーザによって選択された場合、当該アイコンに対応する照明装置３０を固有のアドレスに基づいて特定し、当該特定した照明装置３０に対して所定の操作を行い、グループアイコン表示画面に表示されているアイコンがユーザによって選択された場合、当該アイコンに対応するグループに含まれる照明装置３０を特定し、当該特定した照明装置３０に対して所定の操作を行う。
【００１０】
また、以下で説明する実施形態に係る操作装置１０において、表示部１１は、グループの一覧及び照明装置３０の一覧を表示する設定画面をさらに表示してもよい。また、以下で説明する実施形態に係る操作装置１０は、設定画面に表示された照明装置３０の一覧のうちのユーザによって選択された照明装置３０を、グループの一覧のうちのユーザによって選択されたグループに含める設定部１２２をさらに具備してもよい。
【００１１】
また、以下で説明する実施形態に係る操作装置１０において、複数のグループを表すアイコンは、グループに設定する照明装置に応じて変更するようにしてもよい。
【００１２】
また、以下で説明する実施形態に係る照明制御システム１は、複数のグループに分けられ、固有のアドレスが設定された照明装置３０と、固有のアドレスを読み取る読取装置４０と、照明装置３０の操作を行う操作装置１０と、を具備する。照明装置３０は、固有のアドレスを表示するアドレス表示部３１を具備する。読取装置４０は、照明装置３０のアドレス表示部３１に表示された固有のアドレスを読み取る読取部４１を具備する。
【００１３】
また、以下で説明する実施形態に係る照明制御システム１における操作装置１０は、配置部１２１と、表示部１１と、切替部１２３と、操作部１２４と、を具備する。配置部１２１は、読取装置４０の読取部４１によって固有のアドレスが読み取られた照明装置３０の設置位置の入力を受け付け、当該設置位置を基に照明装置３０の配置を決定する。表示部１１は、照明装置３０のそれぞれを表すアイコンを、配置部１２１によって決定された配置で表示する個別アイコン表示画面と、複数のグループのそれぞれを表すアイコンを、個別アイコン表示画面における配置に対応させて表示するグループアイコン表示画面と、のいずれかを少なくとも表示する。切替部１２３は、ユーザの操作に応じて、表示部１１によって表示される画面を、個別アイコン表示画面とグループアイコン表示画面との間で切り替える。操作部１２４は、個別アイコン表示画面に表示されているアイコンがユーザによって選択された場合、当該アイコンに対応する照明装置３０を固有のアドレスに基づいて特定し、当該特定した照明装置３０に対して所定の操作を行い、グループアイコン表示画面に表示されているアイコンがユーザによって選択された場合、当該アイコンに対応するグループに含まれる照明装置３０を特定し、当該特定した照明装置３０に対して所定の操作を行う。
【００１４】
以下、図面を参照して、実施形態に係る照明制御システム１を説明する。実施形態において同一の部位には同一の符号を付し、重複する説明は省略される。
【００１５】
（実施形態）
図１〜８を用いて、実施形態に係る制御システムついて説明する。
【００１６】
［照明制御システムの構成］
図１は、実施形態に係る照明制御システムの構成例を示す図である。図１に示すように、照明制御システム１は、操作装置１０、制御装置２０、照明装置３０を有する。なお、照明装置３０には、照明装置３０ａ、３０ｂ、３０ｃ及び３０ｄが含まれる。また、図１の照明装置３０の数は一例であり、照明制御システム１の構成に応じて適宜変更することができる。
【００１７】
また、操作装置１０と制御装置２０との間、及び、制御装置２０と照明装置３０との間は、無線又は有線により直接的又は間接的に通信可能に接続されている。また、操作装置１０と照明装置３０とが、制御装置２０を介さず直接接続されていてもよい。また、照明装置３０は、例えばＬＥＤ照明機器である。また、操作装置１０は、例えば、タブレット端末、ＰＣ（Personal  Computer）、携帯電話機、ＰＤＡ（Personal  Data  Assistance）等である。また、制御装置２０は、例えばサーバ装置である。
【００１８】
操作装置１０は、照明装置３０の操作を行う。操作装置１０は、例えば照明装置３０の点灯及び消灯を行う。また、操作装置１０は、例えば照明装置３０の照度の調整を行う。また、操作装置１０は、制御装置２０を経由して照明装置３０の操作を行うようにしてもよいし、直接照明装置３０の操作を行うようにしてもよい。
【００１９】
図２は、実施形態に係る読取装置による読み取り方法の一例を示す図である。図２に示すように、照明制御システム１は、読取装置４０をさらに有する。読取装置４０は、読取部４１を有する。また、読取装置４０は、操作装置１０と有線又は無線で通信可能に接続されている。また、照明装置３０のアドレス表示部３１は、照明装置３０それぞれに割り当てられた固有のアドレスを表示する。固有のアドレスは、例えばＭＡＣアドレスである。読取装置４０は、読み取ったアドレスを操作装置１０に送信する。
【００２０】
また、アドレス表示部３１は、例えば、アドレスをバーコードで表示する。読取装置４０は、例えばバーコードリーダである。また、アドレス表示部３１は、ＱＲコード（登録商標）等の外部から読取可能なバーコード以外の方法で表示してもよい。また、操作装置１０にカメラ等を備え、読取装置４０として機能させるようにしてもよい。
【００２１】
例えば、照明装置３０ａの表示部３１ａは、照明装置３０ａの固有のＭＡＣアドレスをバーコードで表示する。このとき、読取装置４０の読取部４１は、表示部３１ａによって表示されたバーコードを読み取る。また、例えば、照明装置３０ｂの表示部３１ｂは、照明装置３０ｂの固有のＭＡＣアドレスをバーコードで表示する。
【００２２】
［操作装置の構成］
図３は、実施形態に係る操作装置の構成例を示す図である。図３に示すように、操作装置１０は、表示部１１、制御部１２及び記憶部１３を有する。
【００２３】
表示部１１は、液晶ディスプレイ又はタッチパネルディスプレイ等である。以降、本実施形態においては、操作装置１０はタブレット端末であり、表示部１１はタッチパネルディスプレイであることとする。このため、表示部１１に表示されるボタン等を押下する操作を「タップ」とよぶ。
【００２４】
制御部１２は、例えば、ＡＳＩＣ（Application  Specific  Integrated  Circuit）やＦＰＧＡ（Field  Programmable  Gate  Array）等の集積回路により実現される。また、制御部１２は、例えば、ＣＰＵ（Central  Processing  Unit）やＭＰＵ（Micro  Processing  Unit）等によって、操作装置１０内部の記憶装置に記憶されているプログラムがＲＡＭを作業領域として実行されることにより実現される。図３に示すように、制御部１２は、配置部１２１、設定部１２２、切替部１２３及び操作部１２４を有する。また、記憶部１３は、例えば、ＲＡＭ（Random  Access  Memory)、フラッシュメモリ（Flash  Memory）等の半導体メモリ素子等の記憶装置によって実現される。
【００２５】
図４〜７を用いて、表示部１１に表示される各画面について説明するとともに、制御部１２の各部の処理について説明する。図４及び５は、実施形態に係るエリア設定画面の一例を示す図である。図４に示すように、表示部１１は、タブ２１０、２２０及び２３０を表示する。表示部１１は、ユーザによっていずれかのタブがタップされた場合、タップされたタブに対応する画面を表示する。例えば、タブ２１０はエリア一覧画面に対応している。また、タブ２２０は、エリア設定画面に対応している。また、タブ２３０は、エリア操作画面に対応している。
【００２６】
エリア一覧画面は、あらかじめ設定されたエリアの一覧を表示する画面である。本実施形態において、エリアとは、照明装置３０が設置されている建物のフロア又は部屋等を表しており、例えば、「６Ｆ事務所」、「６Ｆトイレ」、「１Ｆエントランス」等である。
【００２７】
エリア設定画面は、エリアごとに各種設定を行うための画面である。図４に示すように、エリア設定画面には、エリア選択リスト２２１、エリアマップ２２２、スキャンモード開始ボタン２２３、器具確認パネル２２４、及びグループ設定ボタン２２５が表示される。
【００２８】
エリア選択リスト２２１は、エリアの一覧の中から任意のエリアを選択可能なドロップダウンリストである。ユーザがエリア選択リスト２２１を操作しエリアを選択すると、エリアマップ２２２には選択されたエリアのマップが表示される。
【００２９】
ここで、配置部１２１の処理について説明する。まず、操作装置１０は、読取装置４０から読み取った照明装置３０のアドレスを受信すると、エリアマップ２２２上に、アイコン２２２ａを表示する。このとき、操作装置１０は、モードを配置モードに切り替える。配置モードでは、読取装置４０からのアドレスの受信が無効になる。
【００３０】
ユーザは、アイコン２２２ａを任意の位置にドラッグし、移動させる。そして、配置部１２１は、読取装置４０から受信したアドレスと、ユーザが移動させたアイコン２２２ａの位置とを対応付けて記憶部１３に記憶させる。このとき、ユーザは、照明装置３０の設置位置に対応したエリアマップ２２２上の位置にアイコン２２２ａを移動させることで、照明装置３０のアドレスと設置位置を対応付けて記憶部１３に記憶させることができる。
【００３１】
スキャンモード開始ボタン２２３がタップされると、操作装置１０は、モードをスキャンモードに切り替える。スキャンモードでは、読取装置４０からのアドレスの受信が有効になる。
【００３２】
器具確認パネル２２４では、エリアマップ２２２で選択された照明装置３０の動作確認を行うことができる。例えば、ＯＦＦボタン２２４１がタップされた場合、選択された照明装置３０は消灯する。また、ＯＮボタン２２４２がタップされた場合、選択された照明装置３０は点灯する。また、点滅ボタン２２４３がタップされた場合、選択された照明装置３０は点滅する。これにより、ユーザが選択した動作が照明装置３０によって行われたか否かによって、照明装置３０に異常がないかを容易に点検することが可能となる。
【００３３】
グループ設定ボタン２２５がタップされると、表示部１１は、器具確認パネル２２４が表示されている領域に、グループ設定パネル２２６を表示する。図５に示すように、グループ設定パネル２２６には、グループの一覧が表示される。グループ選択リスト２２６１
は、グループ一覧の中から任意のグループを選択可能なドロップダウンリストである。
【００３４】
エリアマップ２２２上の照明装置３０を示すアイコンが選択された状態でグループ選択リスト２２６１のグループが選択され、設定ボタン２２６２がタップされると、設定部１２２は、選択された照明装置３０と選択されたグループを対応付けて記憶部１３に記憶させる。また、キャンセルボタン２２７がタップされると、表示部１１は、グループ設定パネル２２６が表示されている領域に、器具確認パネル２２４を表示する。
【００３５】
図６及び７は、実施形態に係るエリア操作画面の一例を示す図である。エリア操作画面は、エリアごとに照明装置３０の操作を行うための画面である。図６に示すように、エリア操作画面には、エリア選択リスト２３１、エリアマップ２３２、及び個別表示ボタン２３３が表示される。
【００３６】
エリア選択リスト２３１は、エリアの一覧の中から任意のエリアを選択可能なドロップダウンリストである。ユーザがエリア選択リスト２３１を操作しエリアを選択すると、エリアマップ２３２には選択されたエリアのマップが表示される。このとき、初期表示として、エリアマップ２３２には、グループごとのアイコンが表示される。このとき、エリア操作画面は、グループアイコン表示画面として機能する。ここで、グループを表すアイコンは各グループに設定された照明装置３０に応じて変更される。例えば、同じグループに設定された照明装置３０のみを囲むようにグループを表すアイコンが設定される。これによって、レイアウト図上で各グループの領域が判別しやすくなる。
【００３７】
エリアマップ２３２に表示されているアイコンがタップされると、タップされたアイコンに対応するグループに含まれる照明装置３０の消灯又は点灯が行われる。例えば、アイコン２３２１のように塗りつぶされたアイコンは、対応するグループに含まれる照明装置３０が点灯していることを示している。このとき、アイコン２３２１がタップされると、アイコン２３２１の塗りつぶしがなくなる。アイコン２３２２のように塗りつぶされていないアイコンは、対応するグループに含まれる照明装置３０が消灯していることを示している。
【００３８】
個別表示ボタン２３３がタップされると、切替部１２３は、個別表示ボタン２３３をグループ表示ボタン２３４に切り替え、エリアマップ２３２の表示を個別表示に切り替える。このとき、エリア操作画面は、個別アイコン表示画面として機能する。図７に示すように、個別アイコン表示画面では、個別の照明装置３０に対応したアイコンが表示される。例えば、個別アイコン表示画面のアイコン群２３２３は、グループアイコン表示画面のアイコン２３２１と対応している。また、個別アイコン表示画面のアイコン群２３２４は、グループアイコン表示画面のアイコン２３２２と対応している。
【００３９】
グループアイコン表示画面と同様に、個別アイコン表示画面では、エリアマップ２３２に表示されているアイコンがタップされると、タップされたアイコンに対応する照明装置３０の消灯又は点灯が行われる。また、塗りつぶされたアイコンは、対応する照明装置３０が点灯していることを示している。また、塗りつぶされていないアイコンは、対応する照明装置３０が消灯していることを示している。
【００４０】
また、グループ表示ボタン２３４がタップされると、切替部１２３は、グループ表示ボタン２３４を個別表示ボタン２３３に切り替え、エリアマップ２３２の表示をグループ表示に切り替える。なお、初期表示として、エリアマップ２３２に照明装置３０の個別のアイコンが表示されるようにしてもよい。このように、本実施形態の操作装置１０を用いることで、照明装置３０のグループごとの操作と個別の操作を容易に切り替えて行うことができるようになる。
【００４１】
［操作装置による処理の手順］
図８は、実施形態に係る操作装置の処理の手順を示すフローチャートである。図８に示すように、操作装置１０の配置部１２１は、ユーザの操作に応じて、照明装置３０の配置を決定する（ステップＳ１０１）。次に、設定部１２２は、ユーザの操作に応じて、照明装置３０のグループを設定する（ステップＳ１０２）。
【００４２】
そして、表示部１１は、初期表示としてグループアイコン表示画面を表示する（ステップＳ１０３）。表示部１１は、個別表示操作が行われるまでの間、グループアイコン表示画面を表示する（ステップＳ１０４；Ｎｏ）。ここで、個別表示ボタン２３３のタップ等による個別表示操作が行われた場合（ステップＳ１０４；Ｙｅｓ）、表示部１１は、個別アイコン表示画面を表示する（ステップＳ１０５）。
【００４３】
そして、表示部１１は、グループ表示操作が行われるまでの間、個別アイコン表示画面を表示する（ステップＳ１０６；Ｎｏ）。ここで、グループ表示ボタン２３４のタップ等によるグループ表示操作が行われた場合（ステップＳ１０６；Ｙｅｓ）、表示部１１は、グループアイコン表示画面を表示する（ステップＳ１０３）。
【００４４】
なお、表示部１１は、初期表示として個別アイコン表示画面を表示してもよい。その場合、図８のフローチャートにおいて、ステップＳ１０３とステップＳ１０５の位置が入れ替わり、また、ステップＳ１０４とステップＳ１０６の位置が入れ替わる。
【００４５】
［実施形態の効果］
上述してきたように、実施形態に係る操作装置１０の切替部１２３は、表示部１１に表示される画面を、個別アイコン表示画面とグループアイコン表示画面との間で切り替えることができる。照明装置３０のグループごとの操作と個別の操作を容易に切り替えて行うことができるようになる。
【００４６】
また、実施形態に係る操作装置１０の設定部１２２は、ユーザの操作に応じて照明装置３０のグループ設定を行うことができる。また、表示部１１は、設定部１２２による設定を参照することで、グループ表示画面において、グループに対応したアイコンを自動生成し表示させることができる。
【００４７】
また、実施形態に係る照明装置３０は、個別アドレスを表示する。また、操作装置１０は、読取装置４０によって読み取られた照明装置３０の個別アドレスを取得する。また、ユーザは、読取装置４０によって読み取られた個別アドレスを基に、操作装置１０を用いて、照明装置３０の設置場所の初期設定を行うことができる。これにより、例えば、点灯、消灯を繰り返して照明装置３０の設置位置を確認し、固有アドレスと対応付けるといった作業を行う必要がなくなり、初期設定に必要な時間及び工数を削減することができる。
【００４８】
（他の実施形態）
上述してきた照明制御システム１は、上記実施形態以外にも種々の異なる形態にて実施されてよい。例えば、制御装置２０が、操作装置１０の制御部１２及び記憶部１３と同様の処理部を有する構成としてもよい。この場合、操作装置１０は画面の表示及びユーザからの操作の受け付けを行う端末として機能する。
【００４９】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００５０】
１  照明制御システム
１０  操作装置
２０  制御装置
３０  照明装置
４０  読取装置
１１  表示部
１２  制御部
１３  記憶部
１２１  配置部
１２２  設定部
１２３  切替部
１２４  操作部
２１０、２２０、２３０  タブ
２２１  エリア選択リスト
２２２、２３２  エリアマップ
２２３  スキャンモード開始ボタン
２２４  器具確認パネル
２２５  グループ設定ボタン
２２６  グループ設定パネル
２２７  キャンセルボタン
２２４１  ＯＦＦボタン
２２４２  ＯＮボタン
２２４３  点滅ボタン
２２６１  グループ選択リスト
２２６２  設定ボタン
２３２１、２３２２  アイコン
２３２３、２３２４  アイコン群
【図１】
2018055839.tif 000003
【図２】
2018055839.tif 000004
【図３】
2018055839.tif 000005
【図４】
2018055839.tif 000006
【図５】
2018055839.tif 000007
【図６】
2018055839.tif 000008
【図７】
2018055839.tif 000009
【図８】
2018055839.tif 000010